(57)【要約】【課題】相手接続体が正規位置へ挿入されたかどうか確認するための作業を簡単かつ正確に行うことができる回路基板付電気コネクタを提供する。【解決手段】ハウジング１０は、コネクタ高さ方向で波動信号の透過を許容するコネクタ側透過許容部１０Ａを有しており、回路基板Ｂは、電気コネクタ１が実装された状態で、上記コネクタ側透過許容部１０Ａと対応する位置に、コネクタ高さ方向で波動信号の透過を許容する基板側透過許容部Ｂ１を有しており、相手接続体Ｃが正規位置まで挿入されると、上記コネクタ側透過許容部１０Ａ及び上記基板側透過許容部Ｂ１の位置にて、上記相手接続体Ｃの挿入過程で許容されていた波動信号の透過が上記相手接続体Ｃによって遮断されるようになる、あるいは、上記相手接続体Ｃの挿入過程で該相手接続体Ｃによって遮断されていた波動信号の透過が許容されるようになる。【選択図】図４
2019220339.tif 000002
【特許請求の範囲】
【請求項１】
回路基板と、該回路基板の実装面に実装され、該実装面に対して平行な前後方向を挿抜方向として相手接続体が挿抜可能に接続される電気コネクタとを有する回路基板付電気コネクタであって、
上記電気コネクタは、上記実装面に対して平行かつ前後方向に対して直角な方向を幅方向とする上記相手接続体を後方から受け入れる受入部が形成されたハウジングと、該ハウジングに保持され、上記受入部へ挿入された上記相手接続体に接触する接触部が形成されているとともに上記回路基板の実装面に接続される接続部が形成されている端子とを有している回路基板付電気コネクタにおいて、
上記ハウジングは、上記実装面に対して平行な面内での上記受入部の範囲内に、上記実装面に対して直角なコネクタ高さ方向で波動信号の透過を許容するコネクタ側透過許容部を有しており、
上記回路基板は、上記電気コネクタが実装された状態で、上記コネクタ側透過許容部と対応する位置に、コネクタ高さ方向で波動信号の透過を許容する基板側透過許容部を有しており、
上記相手接続体が正規位置まで挿入されると、上記コネクタ側透過許容部及び上記基板側透過許容部の位置にて、上記相手接続体の挿入過程で許容されていた波動信号の透過が上記相手接続体によって遮断されるようになる、あるいは、上記相手接続体の挿入過程で該相手接続体によって遮断されていた波動信号の透過が許容されるようになる
ことを特徴とする回路基板付電気コネクタ。
【請求項２】
上記コネクタ側透過許容部は、コネクタ高さ方向で上記ハウジングを貫通する孔部として形成されており、
上記基板側透過許容部は、コネクタ高さ方向で上記回路基板を貫通する孔部として形成されていることとする請求項１に記載の回路基板付電気コネクタ。
【請求項３】
上記コネクタ側透過許容部及び上記基板側透過許容部は、上記相手接続体の幅方向での端部に対応する位置に形成されていることとする請求項１又は請求項２に記載の回路基板付電気コネクタ。
【請求項４】
上記コネクタ側透過許容部及び上記基板側透過許容部は、上記幅方向に突出する耳部が形成された上記相手接続体としての平型導体が正規位置まで挿入された状態のもとで、上記耳部と同位置に形成されている、あるいは、該耳部よりも後方位置に形成されていることとする請求項３に記載の回路基板付電気コネクタ。
【請求項５】
上記基板側透過許容部は、コネクタ高さ方向に見て上記コネクタ側透過許容部を含む範囲で該コネクタ側透過許容部よりも大きく形成されていることとする請求項１ないし請求項４のいずれかに記載の回路基板付電気コネクタ。
【発明の詳細な説明】
【技術分野】
【０００１】
本発明は、回路基板と、該回路基板の実装面に実装され相手接続体が挿抜可能に接続される電気コネクタとを有する回路基板付電気コネクタに関する。
【背景技術】
【０００２】
回路基板の実装面に実装され、該実装面に対して平行な前後方向を挿抜方向として相手接続体が挿抜可能に接続される電気コネクタにおいては、相手接続体が該相手接続体の挿入方向における正規位置まで挿入されることにより、該相手接続体とコネクタとが電気的に接続される。したがって、相手接続体を挿入する際、該相手接続体が正規位置まで挿入されたかどうかを作業者が検知して確認できることが好ましい。
【０００３】
相手接続体の挿入状態、すなわち正規位置への挿入の有無を検知する構成を有するコネクタとして、例えば、特許文献１のコネクタが知られている。特許文献１のコネクタは、複数の端子を配列保持しているハウジングに後方へ開口した挿入室が形成されており、相手接続体としての平型導体（ＦＰＣ）の先端部を上記挿入室で後方から受け入れるようになっている。上記ハウジングは、上記挿入室の上方に位置する上壁に、端子配列方向（ＦＰＣの幅方向と一致する方向）での両端寄り位置で、上記上壁を上下方向に貫通する覗き孔が形成されている。該覗き孔は、正規位置まで挿入されたＦＰＣの先端両角部に対応した位置に形成されている。
【０００４】
上記覗き孔を有する特許文献１のコネクタでは、上記挿入室にＦＰＣが挿入された状態で作業者が上記覗き孔を上方から覗き込んでＦＰＣの先端両角部を目視することにより、ＦＰＣが正規位置まで挿入されたことを確認することが可能となっている。
【先行技術文献】
【特許文献】
【０００５】
【特許文献１】特開平１０−２１４６５９
【発明の概要】
【発明が解決しようとする課題】
【０００６】
しかし、特許文献１のコネクタでは、作業者はＦＰＣが正規位置へ挿入されたかどうか確認するために、覗き孔を上方から覗き込んで目視するという動作を一つ一つのコネクタについて行う必要があったので、確認作業において作業者の負担が大きく、また、時間がかかっていた。さらには、傾いた方向で目視がなされると、確認作業をしたにもかかわらず、確認結果が正しくないという事態も生じ得る。
【０００７】
本発明は、かかる事情に鑑み、相手接続体が正規位置へ挿入されたかどうか確認するための作業を簡単かつ正確に行うことができる回路基板付電気コネクタを提供することを課題とする。
【課題を解決するための手段】
【０００８】
本発明に係る回路基板付電気コネクタは、回路基板と、該回路基板の実装面に実装され、該実装面に対して平行な前後方向を挿抜方向として相手接続体が挿抜可能に接続される電気コネクタとを有する回路基板付電気コネクタであって、上記電気コネクタは、上記実装面に対して平行かつ前後方向に対して直角な方向を幅方向とする上記相手接続体を後方から受け入れる受入部が形成されたハウジングと、該ハウジングに保持され、上記受入部へ挿入された上記相手接続体に接触する接触部が形成されているとともに上記回路基板の実装面に接続される接続部が形成されている端子とを有している。
【０００９】
かかる回路基板付電気コネクタにおいて、本発明では、上記ハウジングは、上記実装面に対して平行な面内での上記受入部の範囲内に、上記実装面に対して直角なコネクタ高さ方向で波動信号の透過を許容するコネクタ側透過許容部を有しており、上記回路基板は、上記電気コネクタが実装された状態で、上記コネクタ側透過許容部と対応する位置に、コネクタ高さ方向で波動信号の透過を許容する基板側透過許容部を有しており、上記相手接続体が正規位置まで挿入されると、上記コネクタ側透過許容部及び上記基板側透過許容部の位置にて、上記相手接続体の挿入過程で許容されていた波動信号の透過が上記相手接続体によって遮断されるようになる、あるいは、上記相手接続体の挿入過程で該相手接続体によって遮断されていた波動信号の透過が許容されるようになることを特徴としている。
【００１０】
本発明では、回路基板の実装面上に電気コネクタが実装された状態にて、電気コネクタのハウジングに形成されたコネクタ側透過許容部と回路基板に形成された基板側透過許容部（必要に応じて両者を「透過許容部」と総称する）とが、互いに対応して位置する。したがって、透過許容部の位置で、コネクタ高さ方向で回路基板付電気コネクタの一方の側から他方の側へ向けて、相手接続体の挿入状態を確認するための波動信号を発することにより、次に述べるように、相手接続体が正規位置へ挿入されたかどうか確認することができる。
【００１１】
例えば、相手接続体が正規位置まで挿入された状態で該相手接続体が透過許容部の位置に存在しないような構成となっている場合には、相手接続体が正規位置にあるとき、波動信号の透過が許容され、透過された波動信号が上記他方の側で検知される。一方、相手接続体を挿入したにもかかわらず、該相手接続体が正規位置までもたらされていないときには、該相手接続体が透過許容部の位置に存在しており、該相手接続体によって波動信号の透過が遮断されるので、上記他方の側で波動信号は検知されない。
【００１２】
また、相手接続体が正規位置まで挿入された状態で該相手接続体が透過許容部の位置に存在するような構成となっている場合には、相手接続体が正規位置にあるとき、該相手接続体によって波動信号の透過が遮断されるので、上記他方の側で波動信号は検知されない。一方、相手接続体を挿入したにもかかわらず、該相手接続体が正規位置までもたらされていないときには、該相手接続体が透過許容部の位置に存在しておらず、波動信号の透過が許容され、透過した波動信号が上記他方の側で検知される。
【００１３】
ここで、「波動信号」とは、絶縁樹脂材によって透過が妨げられる信号を意味し、例えば、赤外線、紫外線、可視光線等の光信号や超音波等の音波信号が挙げられる。
【００１４】
本発明において、上記コネクタ側透過許容部は、コネクタ高さ方向で上記ハウジングを貫通する孔部として形成されており、上記基板側透過許容部は、コネクタ高さ方向で上記回路基板を貫通する孔部として形成されていることとしてもよい。このように、透過許容部を孔部として形成することにより、該透過許容部を単純な形状として簡単に形成することができる。
【００１５】
本発明において、上記コネクタ側透過許容部及び上記基板側透過許容部は、上記相手接続体の幅方向での端部に対応する位置に形成されていることとしもてよい。相手接続体が受入部内で、該相手接続体の前端縁が該相手接続体の幅方向での両端で互いに前後にずれてしまうような傾斜姿勢となっていたとき、相手接続体の幅方向での中間部と比較して端部の方が、正規の姿勢（傾斜していない姿勢）に対する前後方向でのずれの量が大きい。本発明では、透過許容部が、相手接続体の幅方向での端部に対応する位置に形成されているので、相手接続体が正規位置まで挿入されていないことを検知しやすい。
【００１６】
本発明において、上記コネクタ側透過許容部及び上記基板側透過許容部は、上記幅方向に突出する耳部が形成された上記相手接続体としての平型導体が正規位置まで挿入された状態のもとで、上記耳部と同位置に形成されている、あるいは、該耳部よりも後方位置に形成されていることとしてもよい。一般に、平型導体の幅方向での端部には、コネクタとの係止のための耳部が設けられることが多い。本発明によれば、該平型導体の耳部を、該平型導体の挿入状態を判定するための検知対象として利用できる。
【００１７】
本発明において、上記基板側透過許容部は、コネクタ高さ方向に見て上記コネクタ側透過許容部を含む範囲で該コネクタ側透過許容部よりも大きく形成されていることとしてもよい。このように、基板側透過許容部をコネクタ側透過許容部よりも大きく形成した場合、コネクタ高さ方向でコネクタ側透過許容部側から波動信号を発したとき、該コネクタ側透過許容部を透過した波動信号の一部が、回路基板によって遮断されることが起こり得ないので、より確実に基板側透過許容部をも透過するようになる。
【発明の効果】
【００１８】
本発明では、以上のように、回路基板の実装面上に電気コネクタが実装された状態にて、電気コネクタのハウジングに形成されたコネクタ側透過許容部と回路基板に形成された基板側透過許容部とが、互いに対応して位置するようになっている。したがって、透過許容部の位置で、コネクタ高さ方向で回路基板付電気コネクタの一方の側から他方の側へ向けて相手接続体の挿入状態を確認するための波動信号を発して、該波動信号が透過許容部を透過して上記他方の側で検知されたかどうかにより、相手接続体が正規位置まで挿入されたかどうかを判定できる。この結果、作業者が従来のようにコネクタを一つ一つ覗き込んで相手接続体の挿入状態を確認する必要がなくなるので、相手接続体の挿入状態をきわめて容易に確認することができる。また、作業者が従来のように傾いた方向で目視してしまうことがないので、挿入状態の確認結果の精度を向上させることができる。
【図面の簡単な説明】
【００１９】
【図１】本発明の実施形態に係る回路基板付電気コネクタを平型導体とともに示した斜視図であり、平型導体を挿入する直前の状態を示している。
【図２】図１の回路基板付電気コネクタを平型導体とともに示した斜視図であり、平型導体の挿入が完了した状態を示している。
【図３】図１の回路基板付電気コネクタを、電気コネクタと回路基板とに分離して示した斜視図である。
【図４】平型導体用電気コネクタの端子配列方向に対して直角な面での断面を、挿入状態検知装置とともに示した断面図であり（Ａ）は平型導体の挿入過程の状態を示し、（Ｂ）は平型導体の挿入が完了した状態を示している。
【発明を実施するための形態】
【００２０】
以下、添付図面にもとづき、本発明の実施の形態について説明する。
【００２１】
図１及び図２は、本発明の実施形態に係る回路基板付電気コネクタを平型導体とともに示した斜視図であり、図１は平型導体を挿入する直前の状態、図２は平型導体を挿入が完了した状態を示している。図３は、図１の回路基板付電気コネクタを、電気コネクタと回路基板とに分離して示した斜視図である。また、図４（Ａ），（Ｂ）は、端子配列方向での透過許容部の位置において端子配列方向に対して直角な面での平型導体用電気コネクタの断面を挿入状態検知装置とともに示した断面図であり、（Ａ）は平型導体の挿入過程の状態を示し、平型導体の挿入が完了した状態を示している。
【００２２】
本実施形態に係る回路基板付電気コネクタは、回路基板Ｂと、該回路基板Ｂの実装面に実装され、該実装面に対して平行な前後方向（Ｙ軸方向）を挿抜方向として相手接続体としての平型導体Ｃが挿抜可能に接続される電気コネクタ１（以下、単に「コネクタ１」という）とを有している。コネクタ１は、回路基板Ｂの実装面上に配され、平型導体Ｃが接続されることにより、回路基板Ｂと平型導体Ｃとを電気的に導通させる。
【００２３】
図１に見られるように、平型導体Ｃは、前後方向に延びる帯状をなし、その下面にて、前後方向に延びる複数の回路部（図示せず）が幅方向（Ｘ軸方向）に配列され形成されている。該回路部は、平型導体Ｃの絶縁層内で埋設されて前後方向に延びており、平型導体Ｃの前端位置（Ｙ１側の端部位置）まで達している。また、平型導体Ｃは、コネクタ１の後述の受入部５１へ挿入される前端部が他の部分よりも幅寸法が小さくなっており、その両側縁に切欠部Ｃ１が形成されている。該切欠部Ｃ１の前方位置には上記幅方向での外側へ突出する耳部Ｃ２が形成されており、該耳部Ｃ２の後端縁は、後述するコネクタ１の可動部材６０の係止部６６Ｂと係止する被係止部Ｃ２Ａとして機能する（図４（Ｂ）参照）。また、平型導体Ｃの前端部の上面には補強板Ｃ３が貼付されており、該前端部の補強が図られている。
【００２４】
コネクタ１は、略直方体外形をなす電気絶縁材製のハウジング１０と、該ハウジング１０の長手方向を端子配列方向（Ｘ軸方向）として該ハウジング１０に配列保持される金属製の複数の信号端子２０及びグランド端子３０（両者を区別する必要がない場合には「端子２０，３０」と総称する）と、端子２０，３０の配列範囲の両外側位置でハウジング１０に保持される付勢金具４０とを備えている。該コネクタ１は、平型導体Ｃの前端部が後方（図１にてＹ２側）から挿入接続されるようになっている。また、上記ハウジング１０は、端子２０，３０を配列保持するハウジング本体５０と、後述する閉位置と開位置との間で切換移動（回動）可能にハウジング本体５０によって支持される可動部材６０とを有している。
【００２５】
コネクタ１の詳細な構成の説明に先立って、まず、コネクタ１に対する平型導体Ｃの挿入及び抜出の動作の概要について説明しておく。コネクタ１への平型導体Ｃの挿入前においては、コネクタ１の可動部材６０は、図１に示される姿勢をなす閉位置で、ハウジング本体５０への平型導体Ｃの挿入を許容する。また、図２に見られるように、平型導体Ｃが挿入接続された後においても、コネクタ１の使用状態では、可動部材６０は閉位置に維持されており、後述するように、可動部材６０の係止部６６Ｂと平型導体Ｃの被係止部Ｃ２Ａとが係止可能に位置することにより、平型導体Ｃの後方への抜出が阻止される（図４（Ｂ）参照）。
【００２６】
また、コネクタ１の不使用時となる平型導体Ｃの抜出時には、可動部材６０が回動して開位置に切り換えられることにより、平型導体Ｃの被係止部Ｃ２Ａに対する可動部材６０の係止部６６Ｂの係止状態が解除される。そして、平型導体Ｃが後方へ引かれると、可動部材６０が平型導体Ｃの被係止部Ｃ２Ａからの当接力を該可動部材６０の受圧部６６Ｃ（図４（Ａ），（Ｂ）参照）で受けることにより、閉位置へ向けて回動し、その回動過程にて平型導体Ｃの後方への抜出が許容される。平型導体Ｃの抜出後、可動部材６０は付勢金具４０からの付勢力を受けて閉位置へ向けて回動し自動的に閉位置へ至る。このように、平型導体Ｃの抜出と、可動部材６０の閉位置へ回動は一連の動作としてなされる。
【００２７】
コネクタ１の構成の説明に戻る。ハウジング１０のハウジング本体５０は、図１及び図２に見られるように、回路基板Ｂの実装面に対して平行な端子配列方向（Ｘ軸方向）を長手方向として延びており、平型導体Ｃの前端部を受け入れるための受入部５１が、後方へ向けて開放された空間として形成されている。該ハウジング本体５０は、上記実装面に対向して平行に延びる底壁５２と、該底壁５２に対向して上記長手方向、すなわち端子配列方向で端子配列範囲を含む範囲にわたって延びる上壁５３と、端子配列方向での底壁５２及び上壁５３の両端側に位置する側壁５４と、端子配列方向での端子配列範囲を含む範囲にわたって延び底壁５２と上壁５３の前端同士を連結する前壁５５（図４（Ａ），（Ｂ）参照）とを有している。
【００２８】
既述した受入部５１は、図１及び図２に見られるように、端子配列方向で平型導体Ｃの前端部に対応する範囲、具体的には、端子配列範囲及びその両外側で該端子配列範囲に隣接する範囲にわたって形成されている。該受入部５１は、底壁５２、上壁５３及び二つの側壁５４で囲まれて後方に開口する開口部を有し、前後方向で該開口部から前壁５５の後面にまでわたる空間で、平型導体Ｃの前端部を受け入れるようになっている（図４（Ａ），（Ｂ）をも参照）。
【００２９】
また、ハウジング本体５０には、図１に見られるように、複数の信号端子２０及びグランド端子３０をそれぞれ収容して保持するための信号端子収容部５６及びグランド端子収容部５７が所定間隔をもって端子配列方向で配列形成されている。複数の信号端子収容部５６は等間隔で配列形成されており、また、グランド端子収容部５７は、信号端子収容部５６の配列範囲内で該信号端子収容部５６同士間に形成されている。信号端子収容部５６及びグランド端子収容部５７は、端子配列方向に対して直角に拡がるスリット状をなして形成されている。
【００３０】
底壁５２は、端子配列方向での端子配列範囲の両外側にて、平型導体Ｃの前端部の両側に位置する側端部（平型導体Ｃの幅方向での端部）に対応する位置に、図４（Ａ），（Ｂ）に見られるように、コネクタ高さ方向である上下方向（Ｚ軸方向）に貫通する底孔部５２Ａが形成されている。該底孔部５２Ａは、略前半部、具体的には可動部材６０の後述の係止部６６Ｂよりも前方（Ｙ１側）に位置する部分が、後述するコネクタ側透過許容部１０Ａの一部をなし、その他の部分、すなわち略後半部が、閉位置にある可動部材６０の受圧部６６Ｃを受け入れて収容するための下方収容部をなしている。
【００３１】
また、上壁５３は、端子配列方向での端子配列範囲の両外側で上述の底孔部５２Ａと対応する位置にて、前後方向でのほぼ全域が切り欠かれて空間が形成されている。該空間は、図４（Ａ）に見られるように、閉位置にある可動部材６０を受け入れて収容するための上方収容部５３Ａとして形成されている。該上方収容部５３Ａは受入部５１の上方に形成されており、また、既述の底孔部５２Ａは受入部５１の下方に形成されており、該上方収容部５３Ａ、受入部５１及び底孔部５２Ａは互いに連通している。
【００３２】
側壁５４は、図１及び図２に見られるように、可動部材６０の後述の回動軸部６４及び被付勢部６５を収容するとともに付勢金具４０をも収容する側方収容部５４Ａが後半部に形成されている。該側方収容部５４Ａは、上下方向での側壁５４のほぼ全域にわたる範囲（上端部を除いた範囲）で後方に開放されており、後方からの付勢金具４０の取付けが可能となっている。また、該側方収容部５４Ａは、図１及び図２に見られるように、後部が上方に開放されており、上方からの可動部材６０の回動軸部６４及び被付勢部６５を受け入れるようになっている。
【００３３】
端子配列方向で互いに対向して側方収容部５４Ａを形成する対向内壁面には、可動部材６０の回動軸部６４を回動可能に支持する回動支持部（図示せず）が、回動支持面をなす凹湾曲面をもって形成されている。
【００３４】
信号端子２０及びグランド端子３０は、金属板部材の平坦な板面を維持して打ち抜いて作られており、ハウジング１０の信号端子収容部５６及びグランド端子収容部５７にそれぞれ収容されることにより、全ての信号端子２０の板面が端子配列方向に対して直角をなすようにしてハウジング本体５０に配列保持されている。
【００３５】
信号端子２０は、信号端子収容部５６内で底壁５２に沿って延び上下方向に弾性変位可能な弾性腕部（図示せず）を有している。該弾性腕部には、平型導体Ｃの信号回路部との接触のための信号接触部が突部として形成されている。また、信号端子２０は、ハウジング本体５０外で前方に延出する信号接続部２１（図４（Ａ），（Ｂ）参照）を有しており、該信号接続部２１で回路基板Ｂの対応回路部に半田接続されるようになっている。該信号端子２０は、信号端子収容部５６へ前方から圧入されてハウジング本体５０に取り付けられている。
【００３６】
グランド端子３０は、グランド端子収容部５７内で底壁５２に沿って延び上下方向に弾性変位可能な弾性腕部（図示せず）を有している。該弾性腕部には、平型導体のグランド回路部との接触のためのグランド接触部が突部として形成されている。また、グランド端子３０は、ハウジング本体５０外で後方に延出するグランド接続部３１（図１参照）を有しており、該グランド接続部３１で回路基板Ｂの対応回路部に半田接続されるようになっている。該グランド端子３０は、グランド端子収容部５７へ後方から圧入されてハウジング本体５０に取り付けられている。
【００３７】
付勢金具４０は、略帯状の金属板部材を、該金属板部材の板厚方向に屈曲して作られている。該付勢金具４０は、可動部材６０の回動方向で該可動部材６０の被付勢部６５を開位置あるいは閉位置へ向けて付勢する付勢部（図示せず）を有している。可動部材６０が回動方向での所定の位置を境に開位置側に位置している間は被付勢部６５を開位置へ向けて付勢し、閉位置側に位置している間は被付勢部６５を閉位置へ向けて付勢するようになっている。本発明は、付勢金具４０を本旨とするところではないので、付勢金具４０についてのこれ以上の説明は省略する。
【００３８】
次に、可動部材６０の構成について、主に、閉位置にあるときの状態が示されている図１及び図４（Ｂ）を参照しながら説明する。また、可動部材６０の回動する方向について、説明の便宜上、必要に応じて、開位置から閉位置へ向かう方向（図４（Ａ），（Ｂ）での時計回り方向）を「閉方向」、閉位置から開位置へ向かう方向（図４（Ａ），（Ｂ）での反時計回り方向）を「開方向」という。
【００３９】
可動部材６０は、図１に見られるように、端子配列方向を長手方向として延びる板状をなす可動部材本体部６１と、端子配列方向での可動部材本体部６１の両端側に位置する後述の端板部６２、連繋部６３、回動軸部６４、被付勢部６５及び延出部６６とを有している。本実施形態では、可動部材６０は、閉位置にあるとき、ハウジング本体５０の上壁５３と干渉しており、閉方向への回動が阻止されている。
【００４０】
可動部材本体部６１は、閉位置と開位置との間での可動部材６０の回動操作を受ける。該可動部材本体部６１には、端子配列方向でハウジング本体５０の上方収容部５３Ａに対応する位置に上下方向（Ｚ軸方向）に貫通する上方孔部６１Ａが形成されている。該上方孔部６１Ａは、図４（Ｂ）に見られるように、可動部材本体部６１が閉位置にある状態にて、ハウジング本体５０の受入部５１の前端部及び底孔部５２Ａの略前半部と対応して位置している。
【００４１】
本実施形態では、可動部材６０に設けられた該上方孔部６１Ａと、ハウジング本体５０に設けられた上記受入部５１の前端部と、該ハウジング本体５０に設けられた上記底孔部５２Ａの略前半部とによって、ハウジング１０を上下方向に貫通するコネクタ側透過許容部１０Ａが形成されている。換言すると、コネクタ側透過許容部１０Ａは、可動部材６０の上方孔部６１Ａ、ハウジング本体５０の受入部５１及び該ハウジング本体５０底孔部５２Ａにおける、上下方向に見たときに重複して位置する部分が互いに連通することによって形成されている。後述するように、該コネクタ側透過許容部１０Ａは、平型導体Ｃの挿入時にて平型導体Ｃの挿入状態を検知するための波動信号としての赤外線の透過を許容するようになっている。
【００４２】
端板部６２は、端子配列方向での可動部材本体部６１の両端位置で端子配列方向に対して直角な板面をもって設けられている。また、連繋部６３は、端子配列方向での端板部６２よりも内側位置で、端子配列方向に対して直角な板面をもって設けられており、端板部６２の後端部と対面している。
【００４３】
回動軸部６４は、端子配列方向でハウジング本体５０の側方収容部５４Ａに対応する位置にて、端板部６２と連繋部６３との対向板面同士を連結するようにして端子配列方向に延びている。該回動軸部６４は、その軸線まわりの周面に凸湾曲面を有しており、端子配列方向での両端部の凸湾曲面が、側方収容部５４Ａ内に設けられた回動支持部（図示せず）で回動可能に支持される。
【００４４】
被付勢部６５は、付勢金具４０の付勢部（図示せず）と係合して該付勢部（図示せず）から閉位置または開位置へ向けた付勢力を受けるようになっている。該被付勢部６５は、端子配列方向での回動軸部６４の中央位置から下方へ向けて延びている。
【００４５】
延出部６６は、端子配列方向で連繋部６３に隣接する内側位置に設けられており（図１参照）、該可動部材６０の可動部材本体部６１の後部から下方へ向けて延びて形成されている。該延出部６６には、可動部材６０が閉位置にあるときに、上下方向中間位置で、前後方向に延びて貫通する貫通溝部６６Ａが、端子配列方向での該延出部６６の内側面から没して形成されている（図４（Ａ），（Ｂ）参照）。後述するように、該貫通溝部６６Ａは、可動部材６０が所定の角度位置にもたらされたときに、平型導体Ｃの被係止部Ｃ２Ａの通過を許容する空間を形成する（図４（Ａ）参照）。
【００４６】
貫通溝部６６Ａは、図４（Ｂ）に見られるように、可動部材６０が閉位置にある状態にて、前方へ向かうにつれて下方へ若干傾斜するような溝部として形成されている。該貫通溝部６６Ａの上側内壁面は、前方へ向かうにつれて徐々に下方に傾斜しており、上下方向で平型導体Ｃの厚み範囲内に及んでいる（図４（Ｂ）参照）。したがって、平型導体Ｃの挿入過程にて、貫通溝部６６Ａ内へ進入した平型導体Ｃの耳部Ｃ２は、貫通溝部６６Ａの上側内壁面と当接して、その当接力によって、可動部材６０を開方向に回動させるようになっている（図４（Ａ）参照）。
【００４７】
延出部６６において貫通溝部６６Ａの直上に位置する部分は、可動部材６０が閉位置にあるときに後方への抜出力を受けた平型導体Ｃの被係止部Ｃ２Ａに対して係止可能な係止部６６Ｂとして形成されている。
【００４８】
また、延出部６６において貫通溝部６６Ａの下方に位置する部分は、可動部材６０が開位置にあるときに後方への抜出力を受けた平型導体Ｃの被係止部Ｃ２Ａに対して当接可能な受圧部６６Ｃとして形成されている。受圧部６６Ｃは、可動部材６０の角度位置にかかわらず、常に回動軸部６４よりも下方に位置しており、被係止部Ｃ２Ａからの当接力を受けたときに可動部材６０を回動軸部６４の回動中心まわりで閉方向に回動させるモーメントを生ずるようになっている。
【００４９】
次に、コネクタ１が実装される回路基板Ｂについて説明する。図３は、コネクタ１と回路基板Ｂとを上下方向で分離して示した斜視図である。回路基板Ｂの実装面（上面）には、信号端子２０の信号接続部２１に対応する位置に、該信号接続部２１が接続される信号回路部（図示せず）が、そして、グランド端子３０のグランド接続部３１に対応する位置に、該グランド接続部３１が接続されるグランド回路部（図示せず）形成されている。
【００５０】
図３に見られるように、回路基板Ｂには、コネクタ１のコネクタ側透過許容部１０Ａと対応する位置に、該回路基板Ｂを上下方向（板厚方向）に貫通する円形状の孔部をなした基板側透過許容部Ｂ１が形成されている。該基板側透過許容部Ｂ１は、コネクタ１が回路基板Ｂに実装された状態で、上下方向（コネクタ高さ方向）に見たときに、コネクタ側透過許容部１０Ａを含む範囲で該コネクタ側透過許容部１０Ａよりも大きく形成されている（図４（Ａ），（Ｂ）参照）。このように、該基板側透過許容部Ｂ１は、コネクタ側透過許容部１０Ａの直下に位置し、該コネクタ側透過許容部１０Ａと連通しており、後述するように、平型導体Ｃの挿入時にて平型導体Ｃの挿入状態を検知するための波動信号としての赤外線の透過を許容するようになっている。
【００５１】
本実施形態では、回路基板Ｂに実装されたコネクタ１、換言すると、回路基板付コネクタに平型導体Ｃを後方から挿入して接続する際、後述する挿入状態検知装置２（図４（Ａ），（Ｂ）参照）により、平型導体Ｃが正規の挿入位置まで挿入されたかどうかが検知されるようになっている。図４（Ａ），（Ｂ）に見られるように、挿入状態検知装置２は、コネクタ１のコネクタ側透過許容部１０Ａの直上に位置し波動信号としての赤外線を投光する投光装置２Ａと、回路基板Ｂの基板側透過許容部Ｂ１の直下に位置し該投光装置２Ａからの赤外線を受光する受光装置２Ｂと、該受光装置２Ｂに接続された報知装置（図示せず）を有している。投光装置２Ａは、投光部２Ａ−１が下方に向いた状態で、また、受光装置２Ｂは受光部２Ｂ−１が上方を向いた状態で配置されている。上記報知装置は、受光装置２Ｂでの受光の有無を作業者に報知するための装置であり、例えば、モニタでの表示やランプの点滅等によって受光の有無を報知する。
【００５２】
本実施形態では、挿入状態検知装置２において投光装置２Ａが上方にそして受光装置２Ｂが下方に位置していることとしたが、これに代えて、投光装置２Ａが下方にそして受光装置２Ｂが上方に位置していてもよい。また、投光装置２Ａと受光装置２Ｂは、回路基板付コネクタの両側あるいは片側に位置する透過許容部（コネクタ側透過許容部１０Ａ及び基板側透過許容部Ｂ１）に対応して設けられるが、両側の透過許容部に対応して設けられている方が平型導体Ｃの挿入状態をより確実に検知できる。
【００５３】
本実施形態では、後述するように、平型導体Ｃがコネクタ１の受入部５１内で正規の挿入位置まで挿入された状態にて、透過許容部の位置には該平型導体Ｃの耳部Ｃ２が位置するようになっている（図４（Ａ）参照）。この結果、投光装置２Ａの投光部２Ａ−１からの赤外線の透過が耳部Ｃ２によって遮断され、受光装置２Ｂの受光部２Ｂ−１で赤外線が受光されなくなることにより、平型導体Ｃが正規位置まで挿入されたことが検知される。
【００５４】
次に、回路基板付コネクタと平型導体Ｃとの挿入動作及び挿入状態の確認動作を図１、図２及び図４（Ａ），（Ｂ）に基づいて説明する。まず、コネクタ１の信号端子２０の信号接続部２１及びグランド端子３０のグランド接続部３１を回路基板の対応回路部に半田接続して、回路基板付電気コネクタを構成する。該回路基板付電気コネクタでは、コネクタ１のコネクタ側透過許容部１０Ａと回路基板Ｂの基板側透過許容部Ｂ１とは、上下方向に見て同位置に位置している。
【００５５】
次に、回路基板付コネクタの透過許容部、すなわちコネクタ側透過許容部１０Ａ及び回路基板Ｂの基板側透過許容部Ｂ１が投光装置２Ａ及び受光装置２Ｂに対応して位置するように（図４（Ａ），（Ｂ）の位置を参照）、該回路基板付コネクタを配置する。この時点（平型導体Ｃの挿入前）において、投光装置２Ａから投光された赤外線はコネクタ側透過許容部１０Ａ及び基板側透過許容部Ｂ１を下方へ向けて透過し、受光装置２Ｂによって受光されている。
【００５６】
次に、コネクタ１の後方に平型導体Ｃを回路基板（図示せず）の実装面に沿って前後方向に延びるように位置させてから（図１参照）、平型導体Ｃを前方（Ｘ１側）へ向けてコネクタ１の受入部５１に挿入する。受入部５１への平型導体Ｃの挿入過程において、平型導体Ｃの下面が端子２０，３０のそれぞれの接触部（図示せず）に当接して、該端子２０，３０のそれぞれの弾性腕部（図示せず）が下方へ弾性変位する。
【００５７】
また、平型導体Ｃの両側端寄りに位置する耳部Ｃ２が、可動部材６０の貫通溝部６６Ａ内へ進入した後、該耳部Ｃ２の前端が貫通溝部６６Ａの上側内壁面と当接して、その当接力によって、可動部材６０を開方向へ回動させる。その結果、図４（Ａ）に見られるように、耳部Ｃ２が貫通溝部６６Ａの上側内壁面を下方から支持した状態となり、平型導体Ｃの挿入過程における可動部材６０の回動角度が最大となる。また、この時点において、図４（Ａ）に見られるように、貫通溝部６６Ａの前後方向全域にわたって平型導体Ｃの厚み寸法以上の隙間が形成されるので、耳部Ｃ２ひいては平型導体Ｃの前方へのさらなる進行が許容される。
【００５８】
また、この時点において、図４（Ａ）に見られるように、平型導体Ｃの耳部Ｃ２は、その一部がコネクタ側透過許容部１０Ａ内に後方から進入しているものの、赤外線の投光線（図４（Ａ）にて一点鎖線）上には達していない。したがって、投光装置２Ａから投光された赤外線がコネクタ側透過許容部１０Ａ及び基板側透過許容部Ｂ１を透過し、受光装置２Ｂによって受光される状態が維持されている。
【００５９】
平型導体Ｃがさらに前方へ挿入されると、図４（Ｂ）に見られるように、該平型導体Ｃの前端が前壁５５の後面に当接し、該平型導体Ｃが正規の挿入位置（挿入完了位置）にもたらされる（図２をも参照）。平型導体Ｃの挿入完了状態では、端子２０，３０の弾性腕部の弾性変位状態が維持されており、平型導体Ｃの下面の回路部（図示せず）と端子２０，３０の接触部（図示せず）とが接圧をもって接触し電気的に導通した状態が維持される。このようにして平型導体Ｃの挿入動作が完了する。
【００６０】
また、平型導体Ｃが挿入完了位置にもたらされると、図４（Ｂ）に見られるように、平型導体Ｃの耳部Ｃ２が係止部６６Ｂの位置を通過して該係止部６６Ｂよりも前方にもたらされる。この結果、可動部材６０が付勢金具４０の付勢部からの付勢力を受けて閉位置へ復帰し、図４（Ｂ）に見られるように、係止部６６Ｂが、平型導体Ｃの切欠部Ｃ１内に上方から突入する。そして、平型導体Ｃの被係止部Ｃ２Ａが係止部６６Ｂに対して前方から係止可能に位置することとなり、平型導体Ｃの後方への抜出が阻止される。
【００６１】
また、挿入完了位置において、図４（Ｂ）に見られるように、耳部Ｃ２全体がコネクタ側透過許容部１０Ａ内に位置することとなり、投光装置２Ａからの赤外線の透過が該耳部Ｃ２によって遮断されるので、受光装置２Ｂでそれまで受光されていた赤外線が受光されなくなる。この結果、報知装置としてのモニタ（図示せず）に、平型導体Ｃの挿入動作が問題なく完了したことを報知する内容が表示され、作業者はモニタを見ることにより、平型導体Ｃが正規の挿入位置まで挿入されたことを確認できる。
【００６２】
一方、仮に、平型導体Ｃを挿入したにもかかわらず、該平型導体Ｃが正規位置までもたらされていないときには、該耳部Ｃ２がコネクタ側透過許容部１０Ａ内における赤外線の投光線上に達しておらず、赤外線の透過が許容されたままであり、受光装置２Ｂによって赤外線が受光された状態が維持される。したがって、報知装置としてのモニタ（図示せず）には、平型導体Ｃの挿入動作が完了したことを報知する内容は表示されない。その結果、作業者はモニタを見ることにより、平型導体Ｃが正規の挿入位置まで挿入されていないことを確認でき、平型導体Ｃを再度挿入し直すことによりこれに対処できる。
【００６３】
本実施形態では、回路基板Ｂの実装面上にコネクタ１が実装された状態にて、コネクタ１のハウジング１０に形成されたコネクタ側透過許容部１０Ａと回路基板Ｂに形成された基板側透過許容部Ｂ１とが、互いに対応して位置しており、投光装置２Ａから投光された赤外線が透過許容部を透過して受光装置２Ｂで受光（検知）されたかどうかにより、平型導体Ｃが正規位置まで挿入されたかどうかを判定できる。この結果、作業者が従来のようにコネクタを一つ一つ覗き込んで平型導体の挿入状態を確認する必要がなくなるので、平型導体の挿入状態をきわめて容易に確認することができる。また、作業者が従来のように傾いた方向で目視することがないので、挿入状態の確認結果の精度を向上させることができる。
【００６４】
通常、平型導体Ｃが受入部５１内で、該平型導体Ｃの前端縁が該平型導体Ｃの幅方向での両端で互いに前後にずれてしまうような傾斜姿勢となっていたとき、上記幅方向での中間部と比較して端部の方が、正規の姿勢（傾斜していない姿勢）に対する前後方向でのずれの量が大きい。本実施形態では、コネクタ側透過許容部１０Ａ及び基板側透過許容部Ｂ１が、平型導体Ｃの幅方向での端部に対応する位置に形成されているので、平型導体Ｃが正規位置まで挿入されていないことを検知しやすい。ただし、透過許容部が平型導体の幅方向での端部に形成されていることは必須ではなく、挿入状態の検知の精度を十分に確保できる場合には、透過許容部が平型導体の幅方向での中間部に形成されていてもよい。いずれの場合にせよ、コネクタ側透過許容部は、回路基板の実装面に対して平行な面内でのハウジングの受入部の範囲内に形成されている必要がある。
【００６５】
また、本実施形態において、基板側透過許容部Ｂ１は、コネクタ高さ方向に見てコネクタ側透過許容部１０Ａを含む範囲で該コネクタ側透過許容部１０Ａよりも大きく形成されている。したがって、上方、すなわちコネクタ側透過許容部１０Ａ側から投光された赤外線が回路基板Ｂによって遮断されることが起こり得ないので、該赤外線をより確実に基板側透過許容部Ｂ１をも透過させることができる。
【００６６】
本実施形態では、平型導体Ｃが正規位置まで達した状態で耳部Ｃ２が透過許容部の位置に存在することとしたが、これに代えて、平型導体が正規位置に達する直前においては耳部が透過許容部の位置に存在し、正規位置に達した状態で耳部が透過許容部の位置に存在しなくなるような構成としてもよい。このような構成では、上記正規位置にて透過許容部が上記耳部よりも後方に位置する位置するようになる。平型導体が正規位置にもたらされたとき、それまで耳部によって遮断されていた赤外線の透過が許容され、透過された赤外線が受光装置によって検知されることとなる。一方、平型導体を挿入したにもかかわらず、該平型導体が正規位置までもたらされていないときには、該平型導体が透過許容部の位置に存在しており、該平型導体によって赤外線の透過が遮断されたままであるので、受光装置で赤外線は検知されない。
【００６７】
本実施形態では、コネクタ１に接続される相手接続体が平型導体であるとしたが、相手接続体はこれに限られず、例えば、電気コネクタであってもよい。相手接続体が電気コネクタである場合、例えば、該電気コネクタにコネクタ高さ方向で貫通した孔部を形成し、コネクタ嵌合状態において該孔部が透過許容部と同位置に存在しているかどうかによって、コネクタ嵌合状態が完了したかどうかを検知できる。また、上記孔部に代えて、コネクタ高さ方向に全域にわたって延びる切欠部を形成してもよい。
【００６８】
本実施形態では、透過信号として赤外線を使用する形態を説明したが、使用できる透過信号はこれに限られず、絶縁樹脂材によって透過が妨げられる信号であればよく、例えば、紫外線、可視光線等の光信号や超音波等の音波信号も使用できる。特に、直進性が高い性質の信号を使用すれば、波動信号を容易に透過許容部に透過させることができるので好ましい。
【００６９】
また、本実施形態では、挿入状態検知装置が投光装置及び受光装置を有していることとしたが、挿入状態検知装置の構成はこれに限られない。例えば、波動信号が可視光線である場合、挿入状態検知装置を、可視光線を投光装置と、投光された可視光線を反射する反射板とで構成することができる。このような構成によれば、例えば、投光装置から投光され透光許容部を透過した可視光線を、反射板（例えば、鏡等）によって投光方向と異なる方向へ反射させて、作業者がその反射光を目視できるようにすることができる。
【００７０】
本実施形態では、透過許容部を孔部として形成することとしたが、透過許容部の形態はこれに限られず、例えば、ハウジングにおけるコネクタ側透過許容部をなす部分や回路基板における基板側透過許容部をなす部分を、波動信号の透過を許容する透明な材料で形成してもよい。
【符号の説明】
【００７１】
１  コネクタ                            ３１  グランド接続部
１０  ハウジング                        Ｂ  回路基板
１０Ａ  コネクタ側透過許容部            Ｂ１  基板側透過許容部
２０  信号端子                          Ｃ  平型導体（相手接続体）
２１  信号接続部                        Ｃ２  耳部
３０  グランド端子
【図１】
2019220339.tif 000003
【図２】
2019220339.tif 000004
【図３】
2019220339.tif 000005
【図４】
2019220339.tif 000006